(57)【要約】哺乳動物の尿に関連する悪臭を抑制または中和するための組成物、材料、衣服、デバイス、および方法が開示される。例えば、パーソナルケア製品（例えば、おむつ）、脱臭コロイド組成物、尿ベースの肥料、携帯型排尿システム、およびそれらの使用方法が開示されている。そのような脱臭コロイド組成物、尿ベースの肥料、携帯型排尿システムは、それらが臭気中和効果を与える少なくとも１つのアクリル酸モノマーまたはその塩を含むアクリレートポリマーを含むことを特徴とする。本明細書に開示されるシステムから水を回収する方法も提供される。【選択図】図１
2020536709.tif 000002
【特許請求の範囲】
【請求項１】
１つ以上の臭気中和ポリマーと混合された吸収性コアと、固体支持体と、を備えるパーソナルケア製品であって、前記吸収性コアと前記固体支持体とは隣接して配置されており、前記吸収性コアは、乾燥した固体の水膨潤性ポリマー吸着剤を含み、前記臭気中和ポリマーは、少なくとも１つのアクリル酸モノマー又はその塩を含むアクリレートポリマーを含む、パーソナルケア製品。
【請求項２】
前記臭気中和ポリマーが水溶性又は水不溶性である、請求項１に記載のパーソナルケア製品。
【請求項３】
前記臭気中和ポリマーが水不溶性である、請求項２に記載のパーソナルケア製品。
【請求項４】
前記臭気中和ポリマーが、２つ以上のアクリル酸モノマー又はその塩を含むアクリレートポリマーを含む、請求項１〜３のいずれか一項に記載のパーソナルケア製品。
【請求項５】
前記アクリレートポリマーが線状であるか又は架橋されている、請求項１〜４のいずれか一項に記載のパーソナルケア製品。
【請求項６】
前記アクリレートポリマーが架橋されている、請求項５に記載のパーソナルケア製品。
【請求項７】
前記臭気中和ポリマー中の前記アクリレートポリマーの量が、約０．０００１重量％〜約９５重量％である、請求項１〜６のいずれか一項に記載のパーソナルケア製品。
【請求項８】
前記少なくとも１つのアクリル酸モノマーが、以下の構造：
2020536709.tif 000010
を有する部分又はその塩であり、式中、
Ｒは、Ｃ１０−Ｃ３０−アルキル、Ｃ１０−Ｃ３０−ハロアルキル、Ｃ１０−Ｃ３０−アルコキシ、Ｃ１０−Ｃ３０−ハロアルコキシ、Ｃ１０−Ｃ３０−アルケニル、又はポリシロキサンであり、
ｘは１から約１０，０００までの整数であり、
ｙは０から約１，０００までの整数である、
請求項１〜７のいずれか一項に記載のパーソナルケア製品。
【請求項９】
ＲがＣ１０−Ｃ３０−アルキルである、請求項８に記載のパーソナルケア製品。
【請求項１０】
ｘが約１０００から約５０００までの整数であり、ｙが０である、請求項８又は９に記載のパーソナルケア製品。
【請求項１１】
前記アクリレートポリマーがアクリレートホモポリマーである、請求項１〜１０のいずれか一項に記載のパーソナルケア製品。
【請求項１２】
前記アクリレートホモポリマーが２−プロペン酸ホモポリマーである、請求項１１に記載のパーソナルケア製品。
【請求項１３】
前記アクリレートポリマーがアクリレートコポリマーである、請求項１〜１０のいずれか一項に記載のパーソナルケア製品。
【請求項１４】
前記アクリレートコポリマーが、１つ以上のアクリル酸モノマー又はその塩、及び１つ以上のＣ１０−３０−アルキルアクリレートモノマー又はその塩を含む、請求項１３に記載のパーソナルケア製品。
【請求項１５】
前記架橋剤が、アリルスクロース又はその塩、アリルペンタエリスリトール又はその塩、プロピレンのアリルエーテル又はその塩、あるいはジビニルグリコール又はその塩である、請求項５〜１４のいずれか一項に記載のパーソナルケア製品。
【請求項１６】
前記固体支持体が、布地、紙、合成発泡樹脂、フェルト繊維、又はそれらの組み合わせを含む繊維材料を含む、請求項１〜１５のいずれか一項に記載のパーソナルケア製品。
【請求項１７】
前記固体支持体が、超吸収性繊維、超吸収性ラミネート、又はエアレイドである、請求項１〜１６のいずれか一項に記載のパーソナルケア製品。
【請求項１８】
前記超吸収性繊維が少なくとも１．４ｇ／ｍＬの繊維密度を有する、請求項１７に記載のパーソナルケア製品。
【請求項１９】
前記超吸収性繊維が約１．４ｇ／ｍＬの繊維密度を有する、請求項１７又は１８に記載のパーソナルケア製品。
【請求項２０】
前記超吸収性繊維が、少なくとも１つの合成繊維、少なくとも１つの天然繊維、又はそれらの混合物を含む、請求項１７〜１９のいずれか一項に記載のパーソナルケア製品。
【請求項２１】
前記少なくとも１つの合成繊維がポリエステルを含む、請求項２０に記載のパーソナルケア製品。
【請求項２２】
身体側ライナーと、外側カバーと、
をさらに備え、
前記吸収性コア及び前記固体支持体は、前記身体側ライナーと前記外側カバーとの間に配置されている、
請求項１〜２１のいずれか一項に記載のパーソナルケア製品。
【請求項２３】
前記吸収性コアによって受け取られた液体を受け入れることの可能なサージ部材をさらに備える、請求項１〜２２のいずれか一項に記載のパーソナルケア製品。
【請求項２４】
前記パーソナルケア製品が、おむつ、トレーニングパンツ、吸収性パンツ、成人用失禁製品、又は女性用衛生製品である、請求項１〜２３のいずれか一項に記載のパーソナルケア製品。
【請求項２５】
臭気中和ポリマーと水溶液とを含むコロイド組成物であって、前記臭気中和ポリマーは前記水溶液中に分散されており、前記臭気中和ポリマーは、少なくとも１つのアクリル酸モノマーを含むアクリレートポリマーを含む、コロイド組成物。
【請求項２６】
前記アクリレートポリマーが、２つ以上のアクリル酸モノマー又はその塩を含むポリマー化合物である、請求項２５に記載のコロイド組成物。
【請求項２７】
前記アクリレートポリマーが線状であるか又は架橋されている、請求項２５又は２６に記載のコロイド組成物。
【請求項２８】
前記アクリレートポリマーが架橋されている、請求項２７に記載のコロイド組成物。
【請求項２９】
前記ポリマー吸着剤中の前記アクリレートポリマーの量が、約０．０００１重量％〜約９５重量％である、請求項２５〜２８のいずれか一項に記載のコロイド組成物。
【請求項３０】
前記少なくとも１つのアクリル酸モノマーが、以下の構造：
2020536709.tif 000011
を有する部分又はその塩であり、式中、
Ｒは、Ｃ１０−Ｃ３０−アルキル、Ｃ１０−Ｃ３０−ハロアルキル、Ｃ１０−Ｃ３０−アルコキシ、Ｃ１０−Ｃ３０−ハロアルコキシ、Ｃ１０−Ｃ３０−アルケニル、又はポリシロキサンであり、
ｘは１から約１０，０００までの整数であり、
ｙは０から約１，０００までの整数である、
請求項２５〜２９のいずれか一項に記載のコロイド組成物。
【請求項３１】
ｙが０である、請求項３０に記載のコロイド組成物。
【請求項３２】
前記アクリレートポリマーがアクリレートホモポリマーである、請求項２５〜３１のいずれか一項に記載のコロイド組成物。
【請求項３３】
前記アクリレートホモポリマーが２−プロペン酸ホモポリマーである、請求項３２に記載のコロイド組成物。
【請求項３４】
前記アクリレートポリマーがアクリレートコポリマーである、請求項２５〜３１のいずれか一項に記載のコロイド組成物。
【請求項３５】
前記アクリレートコポリマーが、１つ以上のアクリル酸モノマー又はその塩、及び１つ以上のＣ１０−Ｃ３０−アルキルアクリレートモノマー又はその塩を含む、請求項３４に記載のコロイド組成物。
【請求項３６】
前記架橋剤が、アリルスクロース又はその塩、アリルペンタエリスリトール又はその塩、プロピレンのアリルエーテル又はその塩、あるいはジビニルグリコール又はその塩である、請求項２７〜３５のいずれか一項に記載のコロイド組成物。
【請求項３７】
臭気中和剤をさらに含む、請求項２５〜３６のいずれか一項に記載のコロイド組成物。
【請求項３８】
前記臭気中和剤が、酵素、過酸化物、重炭酸塩、界面活性剤又は洗剤、別のポリマー、脂質、油、抗菌剤、抗微生物剤及びプロバイオティクスから選択される、請求項３７に記載のコロイド組成物。
【請求項３９】
前記臭気中和剤が重炭酸ナトリウムである、請求項３８に記載のコロイド組成物。
【請求項４０】
前記臭気中和剤が金属酸化物である、請求項３７に記載のコロイド組成物。
【請求項４１】
前記金属酸化物が、酸化カルシウム、酸化亜鉛、酸化マグネシウム又は二酸化チタンである、請求項４０に記載のコロイド組成物。
【請求項４２】
臭気抑制剤をさらに含む、請求項２５〜４１のいずれか一項に記載のコロイド組成物。
【請求項４３】
前記臭気抑制剤が、防腐剤、香料、キレート剤、プロバイオティクス、酵素、及び酸素ブースタから選択される、請求項４２に記載のコロイド組成物。
【請求項４４】
着色剤又は味覚変化物質をさらに含む、請求項２５〜４３のいずれか一項に記載のコロイド組成物。
【請求項４５】
前記組成物が、マイクロエマルション、エマルション、懸濁液、スプレー、溶液、フォーム、ゲル、又はエマルションゲルとして製剤化されている、請求項２５〜４４のいずれか一項に記載のコロイド組成物。
【請求項４６】
使い捨て容器と、便器と、
前記便器を前記使い捨て容器に接続する管と、
を備える無水排尿システムであって、
前記管は少なくとも部分的に中空であり、前記使い捨て容器は、１つ以上のアクリル酸モノマー又はその塩を含む臭気中和ポリマー化合物と、任意選択で１つ以上の添加剤とを含む乾燥した固体の水膨潤性ポリマー吸着剤を含む、
無水排尿システム。
【請求項４７】
前記便器の中心に配置され、前記便器を前記使い捨て容器に接続する前記管の開口部を覆う可動物体をさらに備え、前記可動物体が、開いている時には前記便器と前記使い捨て容器との間の液体の自由な通過を可能にし、閉じている時には前記使い捨て容器から前記便器を密閉する、請求項４６に記載の無水排尿システム。
【請求項４８】
使い捨て容器と、身体側インターフェースと、
前記身体側インターフェースを前記使い捨て容器に接続する管と、
を備える無水排尿システムであって、
前記管は少なくとも部分的に中空であり、前記使い捨て容器は、１つ以上のアクリル酸モノマー又はその塩を含む臭気中和ポリマー化合物と、任意選択で１つ以上の添加剤とを含む乾燥した固体の水膨潤性ポリマー吸着剤を含む、
無水排尿システム。
【請求項４９】
前記身体側インターフェースは、ポリマーシース、カップ、又はカテーテルである、請求項４８に記載の無水排尿システム。
【請求項５０】
前記ポリマーシースが、ラテックス、ポリイソプレン、ニトリル、又はポリウレタンを含む、請求項４９に記載の無水排尿システム。
【請求項５１】
前記使い捨て容器が接続ユニットをさらに含む、請求項４８〜５０のいずれか一項に記載の無水排尿システム。
【請求項５２】
前記接続ユニットが第２の管に接続されており、前記管の反対側の端部が廃棄物貯蔵ユニットに接続されており、前記管が少なくとも部分的に中空である、請求項５１に記載の無水排尿システム。
【請求項５３】
前記ポリマー吸着剤が水溶性又は水不溶性である、請求項４６〜５２のいずれか一項に記載の無水排尿システム。
【請求項５４】
前記ポリマー吸着剤が水不溶性である、請求項４６〜４２のいずれか一項に記載の無水排尿システム。
【請求項５５】
前記アクリレートポリマーが、２つ以上のアクリル酸モノマー又はその塩を含むポリマー化合物である、請求項４６〜５４のいずれか一項に記載の無水排尿システム。
【請求項５６】
前記アクリレートポリマーが架橋されている、請求項４６〜５５のいずれか一項に記載の無水排尿システム。
【請求項５７】
前記ポリマー吸着剤中の前記アクリレートポリマーの量が、約０．０００１重量％〜約９５重量％である、請求項４６〜５５のいずれか一項に記載の無水排尿システム。
【請求項５８】
前記少なくとも１つのアクリル酸モノマーが、以下の構造：
2020536709.tif 000012
を有する部分又はその塩であり、式中、
Ｒは、Ｃ１０−Ｃ３０−アルキル、Ｃ１０−Ｃ３０−ハロアルキル、Ｃ１０−Ｃ３０−アルコキシ、Ｃ１０−Ｃ３０−ハロアルコキシ、Ｃ１０−Ｃ３０−アルケニル、又はポリシロキサンであり、
ｘは１から約１０，０００までの整数であり、
ｙは０から約１，０００までの整数である、
請求項４６〜５５のいずれか一項に記載の無水排尿システム。
【請求項５９】
ｘが約１０００と約５０００との間の整数であり、ｙが０である、請求項５８に記載の無水排尿システム。
【請求項６０】
前記アクリレートポリマーがアクリレートホモポリマーである、請求項４６〜５９のいずれか一項に記載の無水排尿システム。
【請求項６１】
前記アクリレートホモポリマーが２−プロペン酸ホモポリマーである、請求項６０に記載の無水排尿システム。
【請求項６２】
前記アクリレートポリマーがアクリレートコポリマーである、請求項４６〜５９のいずれか一項に記載の無水排尿システム。
【請求項６３】
前記アクリレートコポリマーが、アクリル酸又はその塩、及びＣ１０−Ｃ３０−アルキルアクリレート又はその塩を含む、請求項６２に記載の無水排尿システム。
【請求項６４】
前記架橋剤が、アリルスクロース又はその塩、アリルペンタエリスリトール又はその塩、プロピレンのアリルエーテル又はその塩、あるいはジビニルグリコール又はその塩である、請求項５６〜６３のいずれか一項に記載の無水排尿システム。
【請求項６５】
前記１つ以上の添加剤が、超吸収性ポリマー、防腐剤、抗微生物剤及び抗菌剤から選択される、請求項４６〜６４のいずれか一項に記載の無水排尿システム。
【請求項６６】
前記１つ以上の添加剤が、超吸収性繊維、超吸収性ラミネート、エアレイド及び金属酸化物から選択される、請求項４６〜６４のいずれか一項に記載の無水排尿システム。
【請求項６７】
前記超吸収性繊維が少なくとも１．４ｇ／ｍＬの繊維密度を有する、請求項６６に記載の無水排尿システム。
【請求項６８】
前記超吸収性繊維が約１．４ｇ／ｍＬの繊維密度を有する、請求項６６又は６７に記載の無水排尿システム。
【請求項６９】
前記超吸収性繊維が、少なくとも１つの合成繊維、少なくとも１つの天然繊維、又はそれらの混合物を含む、請求項６６〜６８のいずれか一項に記載の無水排尿システム。
【請求項７０】
前記少なくとも１つの合成繊維がポリエステルを含む、請求項６９に記載の無水排尿システム。
【請求項７１】
前記金属酸化物が、酸化カルシウム、酸化亜鉛、酸化マグネシウム及び二酸化チタンから選択される、請求項６７に記載の無水排尿システム。
【請求項７２】
尿と、アクリレートポリマーを含む臭気中和ポリマー吸着剤と、任意選択で１つ以上の添加剤とを含む肥料組成物であって、前記アクリレートポリマーが少なくとも１つのアクリル酸モノマーを含む、肥料組成物。
【請求項７３】
前記アクリレートポリマーが、２つ以上のアクリル酸モノマー又はその塩を含むポリマー化合物である、請求項７２に記載の肥料組成物。
【請求項７４】
前記アクリレートポリマーが線状の又は架橋されたアクリレートポリマーである、請求項７２又は７３に記載の肥料組成物。
【請求項７５】
前記アクリレートポリマーが架橋されている、請求項７４に記載の肥料組成物。
【請求項７６】
前記ポリマー吸着剤中の前記アクリレートポリマーの量が、約０．０００１重量％〜約９５重量％である、請求項７２〜７５のいずれか一項に記載の肥料組成物。
【請求項７７】
前記少なくとも１つのアクリル酸モノマーが、以下の構造：
2020536709.tif 000013
を有する部分又はその塩であり、式中、
Ｒは、Ｃ１０−Ｃ３０−アルキル、Ｃ１０−Ｃ３０−ハロアルキル、Ｃ１０−Ｃ３０−アルコキシ、Ｃ１０−Ｃ３０−ハロアルコキシ、Ｃ１０−Ｃ３０−アルケニル、又はポリシロキサンであり、
ｘは１から約１０，０００までの整数であり、
ｙは０から約１，０００までの整数である、
請求項７２〜７６のいずれか一項に記載の肥料組成物。
【請求項７８】
ｘが約１０００から約５０００の間の整数であり、ｙが０である、請求項７７に記載の肥料組成物。
【請求項７９】
前記アクリレートポリマーがアクリレートホモポリマーである、請求項７２〜７８のいずれか一項に記載の肥料組成物。
【請求項８０】
前記アクリレートホモポリマーが２−プロペン酸ホモポリマーである、請求項７９に記載の肥料組成物。
【請求項８１】
前記アクリレートポリマーがアクリレートコポリマーである、請求項７２〜７８のいずれか一項に記載の肥料組成物。
【請求項８２】
前記アクリレートコポリマーが、１つ以上のアクリル酸モノマー又はその塩、及び１つ以上のＣ１０−Ｃ３０−アルキルアクリレートモノマー又はその塩を含む、請求項８１に記載の肥料組成物。
【請求項８３】
前記架橋剤が、アリルスクロース又はその塩、アリルペンタエリスリトール又はその塩、プロピレンのアリルエーテル又はその塩、あるいはジビニルグリコール又はその塩である、請求項７４〜８２のいずれか一項に記載の肥料組成物。
【請求項８４】
前記尿が哺乳動物の尿である、請求項７２〜８３のいずれか一項に記載の肥料組成物。
【請求項８５】
前記哺乳動物がヒトである、請求項８４に記載の肥料組成物。
【請求項８６】
前記１つ以上の添加剤が、抗微生物剤、抗菌剤及び生物酵素材料から選択される、請求項７３〜８５のいずれか一項に記載の肥料組成物。
【請求項８７】
パーソナルケア製品の尿臭を人間に感知されないレベルまで低減する方法であって、１つ以上の臭気中和ポリマーと混合された吸収性コアと、固体支持体と、を備えるパーソナルケア製品に尿サンプルを曝露することを含み、前記吸収性コアと前記固体支持体とは隣接して配置されており、前記吸収性コアは、乾燥した固体の水膨潤性ポリマー吸着剤を含み、前記臭気中和ポリマーは、少なくとも１つのアクリル酸モノマー又はその塩を含むアクリレートポリマーを含む、方法。
【請求項８８】
前記臭気中和ポリマーが水溶性又は水不溶性である、請求項８７に記載の方法。
【請求項８９】
前記臭気中和ポリマーが水不溶性である、請求項８８に記載の方法。
【請求項９０】
前記臭気中和ポリマーが、２つ以上のアクリル酸モノマー又はその塩を含むアクリレートポリマーを含む、請求項８７〜８９のいずれか一項に記載の方法。
【請求項９１】
前記アクリレートポリマーが線状であるか又は架橋されている、請求項８７〜９０のいずれか一項に記載の方法。
【請求項９２】
前記アクリレートポリマーが架橋されている、請求項９１に記載の方法。
【請求項９３】
前記臭気中和ポリマー中の前記アクリレートポリマーの量が、約０．０００１重量％〜約９５重量％である、請求項８７〜９２のいずれか一項に記載の方法。
【請求項９４】
前記少なくとも１つのアクリル酸モノマーが、以下の構造：
2020536709.tif 000014
を有する部分又はその塩であり、式中、
Ｒは、Ｃ１０−Ｃ３０−アルキル、Ｃ１０−Ｃ３０−ハロアルキル、Ｃ１０−Ｃ３０−アルコキシ、Ｃ１０−Ｃ３０−ハロアルコキシ、Ｃ１０−Ｃ３０−アルケニル、又はポリシロキサンであり、
ｘは１から約１０，０００までの整数であり、
ｙは０から約１，０００までの整数である、
請求項８７〜９３のいずれか一項に記載の方法。
【請求項９５】
ｘが約１０００から約５０００までの整数であり、ｙが０である、請求項９４に記載の方法。
【請求項９６】
前記アクリレートポリマーがアクリレートホモポリマーである、請求項８７〜９５のいずれか一項に記載の方法。
【請求項９７】
前記アクリレートホモポリマーが２−プロペン酸ホモポリマーである、請求項９６に記載の方法。
【請求項９８】
前記アクリレートポリマーがアクリレートコポリマーである、請求項８７〜９５のいずれか一項に記載の方法。
【請求項９９】
前記アクリレートコポリマーが、１つ以上のアクリル酸モノマー又はその塩、及び１つ以上のＣ１０−Ｃ３０−アルキルアクリレートモノマー又はその塩を含む、請求項９８に記載の方法。
【請求項１００】
前記架橋剤が、アリルスクロース又はその塩、アリルペンタエリスリトール又はその塩、プロピレンのアリルエーテル又はその塩、あるいはジビニルグリコール又はその塩である、請求項９１〜９９のいずれか一項に記載の方法。
【請求項１０１】
前記尿サンプルが哺乳動物の尿サンプルである、請求項８７〜１００のいずれか一項に記載の方法。
【請求項１０２】
前記尿サンプルがヒト尿サンプルである、請求項８７〜１０１のいずれか一項に記載の方法。
【請求項１０３】
前記尿サンプルが、ネコ科、ウマ科、イヌ科、ウシ、霊長類、げっ歯類又はウシ科の尿サンプルである、請求項８７〜１０２のいずれか一項に記載の方法。
【請求項１０４】
前記固体支持体が、布地、紙、合成発泡樹脂、フェルト繊維、又はそれらの組み合わせを含む繊維材料を含む、請求項８７〜１０３のいずれか一項に記載の方法。
【請求項１０５】
前記固体支持体が、超吸収性繊維、超吸収性ラミネート、又はエアレイドである、請求項８７〜１０４のいずれか一項に記載の方法。
【請求項１０６】
前記超吸収性繊維が少なくとも１．４ｇ／ｍＬの繊維密度を有する、請求項１０５に記載の方法。
【請求項１０７】
前記超吸収性繊維が約１．４ｇ／ｍＬの繊維密度を有する、請求項１０５又は１０６に記載の方法。
【請求項１０８】
前記超吸収性繊維が、合成繊維、天然繊維、又はそれらの混合物を含む、請求項１０５〜１０７のいずれか一項に記載の方法。
【請求項１０９】
前記合成繊維がポリエステルを含む、請求項１０８に記載の方法。
【請求項１１０】
前記パーソナルケア製品が、おむつ、トレーニングパンツ、吸収性パンツ、成人用失禁製品、又は女性用衛生製品である、請求項８７〜１０９のいずれか一項に記載の方法。
【請求項１１１】
尿臭を人間に感知されないレベルまで低減する方法であって、アクリレートポリマーを含む臭気中和ポリマーを含む組成物に尿サンプルを曝露することを含み、前記アクリレートポリマーが少なくとも１つのアクリル酸モノマーを含む、方法。
【請求項１１２】
前記アクリレートポリマーが、２つ以上のアクリル酸モノマー又はその塩を含むポリマー化合物である、請求項１１０に記載の方法。
【請求項１１３】
前記アクリレートポリマーが線状であるか又は架橋されている、請求項１１１又は１１２に記載の方法。
【請求項１１４】
前記アクリレートポリマーが架橋されている、請求項１１２に記載の方法。
【請求項１１５】
前記ポリマー吸着剤中の前記アクリレートポリマーの量が、約０．０００１重量％〜約９５重量％である、請求項１１１〜１１４のいずれか一項に記載の方法。
【請求項１１６】
前記少なくとも１つのアクリル酸モノマーが、以下の構造：
2020536709.tif 000015
を有する部分又はその塩であり、式中、
Ｒは、Ｃ１０−Ｃ３０−アルキル、Ｃ１０−Ｃ３０−ハロアルキル、Ｃ１０−Ｃ３０−アルコキシ、Ｃ１０−Ｃ３０−ハロアルコキシ、Ｃ１０−Ｃ３０−アルケニル、又はポリシロキサンであり、
ｘは１から約１０，０００までの整数であり、
ｙは０から約１，０００までの整数である、
請求項１１１〜１１５のいずれか一項に記載の方法。
【請求項１１７】
ｙが０である、請求項１１６に記載の方法。
【請求項１１８】
前記アクリレートポリマーがアクリレートホモポリマーである、請求項１１１〜１１７のいずれか一項に記載の方法。
【請求項１１９】
前記アクリレートホモポリマーが２−プロペン酸ホモポリマーである、請求項１１８に記載の方法。
【請求項１２０】
前記アクリレートポリマーがアクリレートコポリマーである、請求項１１１〜１１７のいずれか一項に記載の方法。
【請求項１２１】
前記アクリレートコポリマーが、１つ以上のアクリル酸モノマー又はその塩、及び１つ以上のＣ１０−Ｃ３０−アルキルアクリレートモノマー又はその塩を含む、請求項１２０に記載の方法。
【請求項１２２】
前記架橋剤が、アリルスクロース又はその塩、アリルペンタエリスリトール又はその塩、プロピレンのアリルエーテル又はその塩、あるいはジビニルグリコール又はその塩である、請求項１１３〜１２１のいずれか一項に記載の方法。
【請求項１２３】
前記組成物が水溶液中に分散されている、請求項１１１〜１２２のいずれか一項に記載の方法。
【請求項１２４】
前記組成物がコロイド組成物である、請求項１１１〜１２２のいずれか一項に記載の方法。
【請求項１２５】
前記組成物が臭気中和剤をさらに含む、請求項１１１〜１２２のいずれか一項に記載の方法。
【請求項１２６】
前記臭気中和剤が、酵素、過酸化物、重炭酸塩、界面活性剤又は洗剤、別のポリマー、脂質、油、抗菌剤、抗微生物剤及びプロバイオティクスから選択される、請求項１２５に記載の方法。
【請求項１２７】
前記臭気中和剤が金属酸化物である、請求項１２５に記載の方法。
【請求項１２８】
前記金属酸化物が、酸化カルシウム、酸化亜鉛、酸化マグネシウム、又は二酸化チタンである、請求項１２７に記載の方法。
【請求項１２９】
前記臭気中和剤が重炭酸ナトリウムである、請求項１２６に記載の方法。
【請求項１３０】
前記組成物が臭気抑制剤をさらに含む、請求項１１１〜１２９のいずれか一項に記載の方法。
【請求項１３１】
前記臭気抑制剤が、防腐剤、香料、キレート剤、プロバイオティクス、酵素、及び酸素ブースタから選択される、請求項１３０に記載の方法。
【請求項１３２】
前記組成物が着色剤又は味覚変化物質をさらに含む、請求項１１１〜１３１のいずれか一項に記載の方法。
【請求項１３３】
前記尿サンプルが哺乳動物の尿サンプルである、請求項１１１〜１３２のいずれか一項に記載の方法。
【請求項１３４】
前記哺乳動物が非ヒトである、請求項１３３に記載の方法。
【請求項１３５】
前記哺乳動物がヒトである、請求項１３３に記載の方法。
【請求項１３６】
前記哺乳動物がネコ又はイヌである、請求項１３５に記載の方法。
【請求項１３７】
前記哺乳動物がウシ、ウマ、霊長類、ネコ科、イヌ科、げっ歯類、又はウシ科である、請求項１３４に記載の方法。
【請求項１３８】
尿臭を人間に感知されないレベルまで低減するための方法であって、
使い捨て容器と、便器と、
前記便器を前記使い捨て容器に接続する管と、
前記便器の中心に配置され、前記便器を前記使い捨て容器に接続する前記管の開口部を覆う可動物体と、
を備える無水排尿システムに尿サンプルを曝露することを含み、
前記使い捨て容器は、１つ以上のアクリル酸モノマー又はその塩を含む１つ以上の臭気中和ポリマーと、任意選択で１つ以上の添加剤とを含み、
前記可動物体は、開いている時には前記便器と前記使い捨て容器との間の液体の自由な通過を可能にし、閉じている時には前記使い捨て容器から前記便器を密閉する、
方法。
【請求項１３９】
前記臭気中和ポリマーが水溶性又は水不溶性である、請求項１３８に記載の方法。
【請求項１４０】
前記臭気中和ポリマーが水不溶性である、請求項１３９に記載の方法。
【請求項１４１】
前記臭気中和ポリマーが、２つ以上のアクリル酸モノマー又はその塩を含むポリマー化合物である、請求項１３８〜１４０のいずれか一項に記載の方法。
【請求項１４２】
前記アクリレートポリマーが架橋されている、請求項１３８〜１４１のいずれか一項に記載の方法。
【請求項１４３】
前記臭気中和ポリマー中の前記アクリレートポリマーの量が、約０．０００１重量％〜約９５重量％である、請求項１３８〜１４２のいずれか一項に記載の方法。
【請求項１４４】
前記少なくとも１つのアクリル酸モノマーが、以下の構造：
2020536709.tif 000016
を有する部分又はその塩であり、式中、
Ｒは、Ｃ１０−Ｃ３０−アルキル、Ｃ１０−Ｃ３０−ハロアルキル、Ｃ１０−Ｃ３０−アルコキシ、Ｃ１０−Ｃ３０−ハロアルコキシ、Ｃ１０−Ｃ３０−アルケニル、又はポリシロキサンであり、
ｘは１から約１０，０００までの整数であり、
ｙは０から約１，０００までの整数である、
請求項１３８〜１４３のいずれか一項に記載の方法。
【請求項１４５】
ｘが約１０００から約５０００までの整数であり、ｙが０である、請求項１４４に記載の方法。
【請求項１４６】
前記アクリレートポリマーがアクリレートホモポリマーである、請求項１３８〜１４５のいずれか一項に記載の方法。
【請求項１４７】
前記アクリレートホモポリマーが２−プロペン酸ホモポリマーである、請求項１４６に記載の方法。
【請求項１４８】
前記アクリレートポリマーがアクリレートコポリマーである、請求項１４８〜４７８のいずれか一項に記載の方法。
【請求項１４９】
前記アクリレートコポリマーが、１つ以上のアクリル酸モノマー又はその塩、及び１つ以上のＣ１０−Ｃ３０−アルキルアクリレートモノマー又はその塩を含む、請求項１４８に記載の方法。
【請求項１５０】
前記架橋剤が、アリルスクロース又はその塩、アリルペンタエリスリトール又はその塩、プロピレンのアリルエーテル又はその塩、あるいはジビニルグリコール又はその塩である、請求項１３８〜１４９のいずれか一項に記載の方法。
【請求項１５１】
前記１つ以上の添加剤が、超吸収性ポリマー、防腐剤、抗微生物剤及び抗菌剤から選択される、請求項１３８〜１４９のいずれか一項に記載の方法。
【請求項１５２】
前記１つ以上の添加剤が、超吸収性繊維、超吸収性ラミネート、エアレイド及び金属酸化物から選択される、請求項１３８〜１５０のいずれか一項に記載の方法。
【請求項１５３】
前記超吸収性繊維が少なくとも１．４ｇ／ｍＬの繊維密度を有する、請求項１５２に記載の方法。
【請求項１５４】
前記超吸収性繊維が約１．４ｇ／ｍＬの繊維密度を有する、請求項１５２又は１５３に記載の方法。
【請求項１５５】
前記超吸収性繊維が、少なくとも１つの合成繊維、少なくとも１つの天然繊維、又はそれらの混合物を含む、請求項１５２〜１５４のいずれか一項に記載の方法。
【請求項１５６】
前記少なくとも１つの合成繊維がポリエステルを含む、請求項１５５に記載の方法。
【請求項１５７】
前記金属酸化物が、酸化カルシウム、酸化亜鉛、酸化マグネシウム及び二酸化チタンから選択される、請求項１５２に記載の方法。
【請求項１５８】
前記尿サンプルがヒト尿サンプルである、請求項１３８〜１５７のいずれか一項に記載の方法。
【請求項１５９】
前記使い捨て容器が、バッグ、缶、ジャー又はパウチである、請求項１３８〜１５８のいずれか一項に記載の方法。
【請求項１６０】
植物の成長を調節する方法であって、
土壌に植えられた植物を入手する工程と、
前記土壌を、請求項４６〜７１のいずれか一項に記載の使い捨て容器の内容物又は請求項７２〜８６のいずれか一項に記載の肥料と接触させる工程と、
を含む方法。
【請求項１６１】
前記土壌を前記使い捨て容器の前記内容物又は前記肥料と接触させた後に、前記土壌を（例えば水などの）液体と接触させる工程をさらに含む、請求項１６０に記載の方法。
【請求項１６２】
水を生成する方法であって、
請求項４６〜７１のいずれか一項に記載の使い捨て容器の内容物を塩と接触させることにより、混合物を形成する工程と、
一定時間の経過後に、前記混合物から前記水を分離する工程と、
を含む方法。
【請求項１６３】
前記塩が非毒性である、請求項１６２に記載の方法。
【請求項１６４】
前記塩が、塩化ナトリウム、塩化マグネシウム、塩化カルシウム、臭化ナトリウム、臭化マグネシウム、臭化カルシウム、
ヨウ化ナトリウム、ヨウ化マグネシウム、ヨウ化カルシウム、硫酸ナトリウム、硫酸カルシウム、硫酸マグネシウムから選択される、請求項１６２又は１６３に記載の方法。
【請求項１６５】
前記使い捨て容器の前記内容物を酸と接触させることにより、前記使い捨て容器の前記内容物のｐＨを少なくとも８．１未満に調整する工程をさらに含む、請求項１６２〜１６４のいずれか一項に記載の方法。
【請求項１６６】
前記ｐＨが、約ｐＨ８、約ｐＨ７．５、約ｐＨ７、約ｐＨ６．５、約ｐＨ６、約ｐＨ５．５、又は約ｐＨ５に調整される、請求項１６５に記載の方法。
【請求項１６７】
前記酸が無機酸である、請求項１６５又は１６６に記載の方法。
【請求項１６８】
前記酸が、塩酸、ホウ酸、リン酸又は硫酸である、請求項１６５〜１６７のいずれか一項に記載の方法。
【請求項１６９】
前記混合物から前記水を分離することが蒸留又は濾過を含む、請求項１６２〜１６８のいずれか一項に記載の方法。
【発明の詳細な説明】
【技術分野】
【０００１】
関連アプリケーション
この出願は、米国仮特許出願番号の利益を主張します。62/568,920, 2017年10月6日に提出され、その内容は参照により組み込まれています。
【背景技術】
【０００２】
バックグラウンド
排出された体液を容易に吸収することを意図した吸収製品は、当技術分野でよく知られている。例えば、使い捨ておむつ、成人用失禁製品、トレーニングパンツ、および女性用ケア製品は、当技術分野で超吸収剤として知られている水膨潤性の、一般に水不溶性の吸収性材料を使用することが多い。そのような超吸収剤は一般に、水中でそれらの重量の少なくとも約10倍から100倍までを吸収することができる。吸収性製品におけるそのような超吸収性材料の使用は、それらのかさの減少を可能にしながら、吸収性製品の吸収能力を大幅に増大させる。近年、吸収性製品に使用される超吸収性材料の濃度が増加している。しかしながら、使い捨て製品で使用される超吸収性材料の濃度が増加するにつれて、特に哺乳動物の尿に見られるアンモニアおよびアミンに関連する不快な臭いのために、そのような製品に関連する悪臭も増加します。これらの物質の揮発性により、少量の尿しか存在しない場合でも、それらは非常に顕著になります。
【０００３】
様々な異なる臭気制御添加剤がそのような吸収製品に組み込まれている。しかしながら、残念なことに、そのような組成物は、多くの用途で望まれる完全なレベルの臭気制御を得るためには効果がないことが判明している。したがって、香料などのマスキング剤に完全に依存することなく、吸収剤に関連する悪臭を低減するための効率的かつ効果的な方法が必要とされている。
【発明の概要】
【０００４】
概要
本発明は、哺乳動物の尿の悪臭の抑制または中和に関する。特に、本発明は、パーソナルケア製品（例えば、おむつ、パッド）、脱臭コロイド組成物、尿ベースの肥料、携帯型排尿システム、およびそれらの使用方法に関する。そのような脱臭コロイド組成物、尿ベースの肥料、携帯型排尿システムはすべて、臭気中和効果を与える少なくとも１つのアクリル酸モノマーまたはその塩を含むアクリレートポリマーを含むことを特徴とする。
【０００５】
したがって、本発明の一態様は、臭気中和ポリマーと混合された吸収性コアおよび固体支持体を含むパーソナルケア製品を提供する。ここで、吸収性コアおよび固体支持体は隣接して配置される。吸収性コアは、乾燥した固体の水膨潤性ポリマー吸着剤を含む。そして、臭気中和ポリマーは、少なくとも１つのアクリル酸モノマーまたはその塩を含むアクリレートポリマーを含む。
【０００６】
本発明の別の態様は、臭気中和ポリマーおよび水溶液を含むコロイド組成物を提供し、臭気中和ポリマーは水溶液中に分散される。そして、臭気中和ポリマーは、少なくとも１つのアクリル酸モノマーを含むアクリレートポリマーを含む。
【０００７】
本発明のさらに別の態様は、使い捨て容器を含む水なしの排尿システムを提供する。便器;便器を使い捨て容器に接続するチューブ。ここで、チューブは少なくとも部分的に中空である。使い捨て容器は、１つ以上のアクリル酸モノマーまたはその塩を含む臭気中和ポリマー化合物、および任意選択で１つ以上の添加剤を含む、乾燥した固体の水膨潤性ポリマー吸着剤を含む。
【０００８】
本発明のさらに別の態様は、尿を含む肥料組成物を提供する。アクリレートポリマー、および任意選択で1つまたは複数の添加剤を含む臭気中和ポリマー吸着剤。ここで、アクリレートポリマーは、少なくとも１つのアクリル酸モノマーを含む。
【０００９】
さらに、本明細書では、パーソナルケア製品の尿臭を人間の検出を下回るレベルまで低減する方法が提供され、尿サンプルを、1つ以上の臭気中和ポリマーと混合された吸収性コアと固体を含むパーソナルケア製品に曝露することを含む。サポート;ここで、吸収性コアおよび固体支持体は隣接して配置される。吸収性コアは、乾燥した固体の水膨潤性ポリマー吸着剤を含む。そして、臭気中和ポリマーは、少なくとも１つのアクリル酸モノマーまたはその塩を含むアクリレートポリマーを含む。
【００１０】
本発明の別の態様は、尿サンプルを、アクリレートポリマーを含む臭気中和ポリマーを含む組成物に曝露することを含み、アクリレートポリマーが少なくとも１つのアクリル酸モノマーを含む、尿の臭いをヒト検出未満のレベルに低減する方法を提供する。
【００１１】
本発明のさらに別の態様は、尿サンプルを使い捨て容器を含む水を含まない排尿システムに曝露することを含む、尿の臭いを人間の検出を下回るレベルまで低減することを提供する。便器;便器を使い捨て容器に接続するチューブ。可動物体は、便器の中心に配置され、便器を使い捨て容器に接続する管の開口部を覆う。ここで、使い捨て容器は、１つまたは複数のアクリル酸モノマーまたはその塩、および任意選択で１つまたは複数の添加剤を含む１つまたは複数の臭気中和ポリマーを含む。可動物体は、開いたときに便器と使い捨て容器との間の液体の自由な通過を可能にし、閉じたときに使い捨て容器から便器を密封する。
【００１２】
本発明の好ましい実施形態では、アクリル酸モノマーは、以下の構造を有する部分である：
2020536709.tif 000003
またはその塩、
Rは、C10-C30-アルキル、C10-C30-ハロアルキル、C10-C30-アルコキシ、C10-C30-ハロアルコキシ、C10-C30-アルケニル、またはポリシロキサンであり;
xは1から約10,000までの整数です。そして
yは0から約1,000までの整数です。
【図面の簡単な説明】
【００１３】
以下の詳細な説明および添付の図面を参照すると、本開示がより完全に理解され、さらなる特徴が明らかになるであろう。図面は単に代表的なものであり、特許請求の範囲を限定することを意図するものではない。
【００１４】
【図１】図１は、女性用衛生製品の図である。
【図２】図２は、成人用失禁製品の図である。
【図３】図３は、成人用失禁用製品の断面図である。
【図４】は、吸収性パンツの図である。
【図５】図５は、本発明の水なしの排尿システムの例示的な実施形態である。
【図６】実施例１に記載されているサンプルを示す。
【図７】実施例２に記載されているサンプルを示す。
【図８Ａ】図８Ａは、実施例４に記載されているサンプルを示す。
【図８Ｂ】図８Ｂは、実施例４に記載されているサンプルを示す。
【図９】実施例５に記載されているサンプルを示す。
【発明を実施するための形態】
【００１５】
詳細な説明
本発明は、哺乳動物の尿に関連する悪臭の抑制または中和に関する。
【００１６】
動物に関連するものを含む、悪臭を抑制する以前の方法は、嗅覚に影響を与えることを含んでいた。古い方法の1つは、ホルムアルデヒドなどの強力な化学物質を使用し、嗅覚上皮（感覚器官）と反応して、生理的に不活性化、つまり嗅覚が一時的に破壊されます。現在人気のある別の方法は、非常に強い臭いでにおいの感覚を圧倒し、好ましくない臭いがもはや検出されないようにすることです。これらの強い臭いは通常香水であり、一般にマスキング剤と呼ばれています。これらは非常に永続的な臭いであり、しばしば甘い臭いがするため、マスキング剤自体が不快になる可能性があります。
【００１７】
したがって、本発明は、おむつ、トレーニングパンツ、吸収性パンツ、成人用失禁製品、女性用衛生製品などの脱臭パーソナルケア製品、およびそれらの使用方法に関する。そのようなパーソナルケア製品は、1つまたはいくつかの層で作ることができ、尿の吸収を目的としています。本パーソナルケア製品は、それらが、内部領域または層に、臭気中和効果を与える少なくとも１つのアクリル酸モノマーまたはその塩を含むアクリレートポリマーを含むことを特徴とする。
【００１８】
本発明はまた、脱臭コロイド組成物、尿ベースの肥料、携帯型排尿システム、およびそれらの使用方法に関する。そのような脱臭コロイド組成物、尿ベースの肥料、携帯型排尿システムはすべて、臭気中和効果を与える少なくとも１つのアクリル酸モノマーまたはその塩を含むアクリレートポリマーを含むことを特徴とする。
【００１９】
定義
「アルキル」は、指定された数の炭素原子を有する完全に飽和した環式または非環式の分岐または非分岐炭素鎖部分、または存在しない場合は最大30個の炭素原子を指す。仕様書になります。例えば、10〜30個の炭素原子のアルキルは、デシル、ウンデシル、ドデシル、トリデシル、テトラデシル、ペンタデシル、ヘキサデシル、ヘプタデシル、オクタデシル、ノナデシル、エイコシル、ヘネイコシル、ドコシル、トリコシルおよびテトラコシルを含む。特定の実施形態では、直鎖または分岐鎖アルキルは、その骨格に10〜30個の炭素原子を有する。
【００２０】
本明細書で使用される「アルコキシル」または「アルコキシ」という用語は、酸素部分が結合している、以下に定義されるアルキル基を指す。
【００２１】
「アルケニル」とは、指定された炭素原子の数、または指定されていない場合は最大30個の炭素原子を有する、環状または非環状の分岐または非分岐不飽和炭素鎖部分を指す。そして部分の1つ以上の二重結合を持っています。10〜30個の炭素原子のアルケニルは、デセニル、ウンデセニル、ドデニル、トリデセニル、テトラデセニル、ペンタデセニル、ヘキサデセニル、ヘプタデセニル、オクタデセニル、ノナデセニル、エイコセニル、ヘネイコセニル、ドコセニル、トリコセニル、およびテトラコセニルによって、それらの不飽和異性体の形で例示される結合は、部分が存在する任意の場所に配置することができ、二重結合について（Z）または（E）配置のいずれかを持つことができます。
【００２２】
本明細書で使用する場合、「置換された」という用語は、有機化合物のすべての許容可能な置換基を含むと考えられる。広い態様では、許容される置換基には、有機化合物の非環式および環式、分岐および非分岐、炭素環式および複素環式、芳香族および非芳香族置換基が含まれる。例示的な置換基としては、例えば、本明細書において上記に記載されるものが挙げられる。許容される置換基は、適切な有機化合物について、１つ以上であってよく、同じであっても異なっていてもよい。本発明の目的のために、窒素などのヘテロ原子は、水素置換基および／またはヘテロ原子の原子価を満たす本明細書に記載の有機化合物の任意の許容可能な置換基を有することができる。本発明は、有機化合物の許容される置換基によっていかなる方法でも限定されることを意図しない。「置換」または「置換」は、そのような置換が置換原子および置換基の許容される原子価に従っているという暗黙の条件を含み、置換が、例えば、自発的ではない安定な化合物をもたらすことを理解されたい。転位、環化、脱離などの変換を受ける。
【００２３】
本明細書で使用する場合、「ハロゲン」という用語は、-F、-Cl、-Br、または-Iを表す。
【００２４】
「ハロアルキル」という用語は、本明細書で定義されるアルキル基を介して親分子部分に付加される、本明細書で定義される少なくとも１つのハロゲンを意味する。
【００２５】
「ハロアルコキシ」という用語は、本明細書で定義されるアルコキシ基を介して親分子部分に付加された、本明細書で定義される少なくとも１つのハロゲンを意味する。
【００２６】
「ポリシロキサン」という用語は、式 -(OSiH2)nOH および -(OSiH2)n。ポリシロキサンには分岐化合物が含まれ、その特徴的な特徴は、シリコン中心の各ペアが1つの酸素原子で隔てられていることです。
【００２７】
本明細書で使用される場合、各構造、例えば、アルキル、ｍ、ｎなどの定義は、それが任意の構造で複数回出現する場合、同じ構造の他の場所でのその定義から独立していることを意図している。
【００２８】
「哺乳動物」という用語は、限定されないが、ヒト（すなわち、任意の年齢群の男性または女性、例えば、小児対象（例えば、幼児、子供、青年）または成人対象（例えば、若年成人、中年）を含む。- 高齢者または高齢者））および/または他の霊長類（例：カニクイザル、アカゲザル）;哺乳動物、商業的に関連する哺乳動物を含む。これには、家畜、ならびにウシ、ブタ、ウマ、ヒツジ、ヤギ、ネコ、および/またはイヌなどの家庭用ペットが含まれる。および/または鶏、アヒル、ガチョウ、ウズラ、および/または七面鳥などの商業的に関連する鳥を含む鳥。 好ましい哺乳動物は、ヒト、イヌ、およびネコである。
【００２９】
本発明の目的のために、化学元素は元素周期表、CASバージョン、化学と物理学のハンドブック、第67版、1986-87、カバーの内側に従って識別される。
【００３０】
臭気中和ポリマー
本発明の組成物の態様は、臭気中和ポリマーおよびコポリマーを含む。本発明の組成物のポリマーおよびコポリマーの例は、アクリル酸ベースのポリマーまたはコポリマー（ＡＡＰ）を含む。アクリル酸ポリマー製品は、いくつかの会社によって製造または流通されています（表1）。 
【００３１】
表1。 主要企業とAAP製品
2020536709.tif 000004
【００３２】
多くの異なるタイプのAAPが作成され、可能なすべてのAAP哺乳動物の尿を脱臭することが、本発明によって企図される。例えば、ＡＡＰは、アクリル酸の線状ポリマー、またはポリアルケニルエーテルまたはジビニルグリコールまたは他の架橋剤で架橋されたポリマーであり得る。これらのAAPが架橋グレードと同じ条件下で同じレシピを使用して重合されたが、架橋モノマーがない場合、重量平均分子量は約500,000程度であると報告されています（「Carbopol（登録商標）の分子量およびPemulen （登録商標）ポリマー」、Noveon、Inc.、2001、TDS 222）。架橋ポリマーの分子量は数十億です。 架橋ポリマーには主に2つのタイプがあります。
(1) ホモポリマー、 例えばアリルスクロースまたはアリルペンタエリスリトールで架橋されたアクリル酸のポリマー。そして
(2) 長鎖  (C10-C30) アクリル酸アルキルで修飾され、たとえばアリルペンタエリスリトールで架橋されたアクリル酸のポリマーであるコポリマー。
【００３３】
最もよく使用される2つのアクリルホモポリマーCarbopol（登録商標）とコポリマーPemulen（登録商標）の一般的な構造を以下に示します。
【００３４】
2020536709.tif 000005
【００３５】
いくつかの実施形態では、本明細書に開示されるのは、１つまたは複数のアクリル酸モノマーを含む臭気中和ポリマーである。このようないくつかの実施形態では、１つまたは複数のアクリル酸モノマーは、以下の構造を有する部分である：
2020536709.tif 000006
またはその塩。ここで、
Rは、C10-C30-アルキル、C10-C30-ハロアルキル、C10-C30-アルコキシ、C10-C30-ハロアルコキシ、C10-C30-アルケニル、またはポリシロキサンであり;
xは1から約10,000までの整数です。そして
yは0から約1,000までの整数です。
【００３６】
いくつかの実施形態では、RはC10-C30-アルキルである。他の実施形態では、yは0である。 優先的に 実施形態では、xは約1000から約5000の整数である。 yは0です。
【００３７】
線状アクリル酸ポリマーは水などの極性溶媒に可溶ですが、架橋ポリマーは水に溶解せず、膨潤します。1％までの濃度の架橋ポリマーの溶液では、架橋ポリマーが適切な塩基で部分的に中和されて塩を形成するまで、顕著な膨潤は起こりません。この塩が溶解してイオン化すると、架橋ポリマーは膨潤して増粘した形態になります（「Carbopol（登録商標）樹脂および化粧品処方の応用技術」、Noveon、Inc.、2001、TDS 60）。
【００３８】
アクリル酸ホモポリマーの骨格は同じであり、これらのタイプのポリマー間の主な違いは、架橋剤として使用されるタイプのモノマーではなく、架橋密度と分子量に関連しています。架橋剤の密度をごくわずかに調整するだけで、全体的な分子構造は類似していますが、粘度などの用途特性が異なる多数のAAP製品を製造できます。架橋密度は、アクリル主鎖上の架橋剤の位置のマイナーなシフトによって変えることができます。
【００３９】
本発明は、哺乳類の尿を脱臭する線状ポリマーまたはコポリマーの組成物を含む。 ポリマーおよびコポリマーという用語は、本明細書では互換的に使用され、ポリマーにはコポリマーが含まれる。したがって、本発明の一実施形態は、哺乳動物の尿を脱臭する組成物を含む。
【００４０】
本発明の組成物は、アクリル酸ポリマーおよびコポリマーを含む。組成物は、薬学的に許容される担体または賦形剤組成物中に有効量のアクリル酸ポリマーまたはコポリマーを含む。例えば、組成物は、用量または適用あたり約１マイクログラム〜５ｇの範囲のAAPを含み、または組成物は、約0.001％wt〜約99％wtの１つ以上のAAPを含み得る。組成物中のAAPの範囲には、約0.05％wt未満、約0.001％wt約0.05％wt未満、約0.1％wt未満、約0.001％wt〜約25％wt、約0.001％wt〜約15％wt、約0.001％wt〜約50％wt、約0.001％wt〜約55％wt、約0.001％wt〜約75％wt、約0.001％wt〜約85％wt、約0.001％wt〜約90％wt、約0.001％wt〜約95％wt、または約0.05％wt未満、約0.10％wt未満、約0.5％wt未満、約1.0％wt未満、約5.0％wt未満、約10.0％wt未満、約未満25.0％wt、約50％wt未満、約65％wt未満、約75％wt未満、約80％wt未満、約90％wt未満、または約95％wt未満。
【００４１】
本発明は、合成水溶性および水膨潤性ポリマーを含む。これらのポリマーは、一般に水溶性モノマーから合成されます。たとえば、アクリル酸（AA）とそのナトリウム塩、アクリルアミド（AM）、ヒドロキシエチルメタクリレート（HEMA）、ヒドロキシエチルアクリレート（HEA）、ビニルイリリドン（VP）、4級アンモニウム塩、ジメチルジアリルアンモニウムクロリド（DMDAAC）などそれらは一般にフリーラジカル重合メカニズムに従います。合成は、水溶液重合、逆懸濁重合、逆乳化を含むさまざまなプロセスによって商業的に実施されます重合。
【００４２】
溶液重合は、線状の低分子量水溶性ポリマーの合成で一般的に使用されます。 ポリ（アクリル酸）とそのコポリマー、およびポリアクリルアミドとDMDAACとのそのコポリマーは、溶液中で重合されます。高分子量ポリ（アクリル酸）、ポリアクリルアミドおよびそれらのコポリマーを合成するには、逆懸濁液/乳化プロセスが使用されます。溶液プロセスにおいて、水溶性モノマーは、フリーラジカル開始剤、主にレドックス対の存在下で均質な水溶液中で重合される。ソリューションプロセスは、主に有機相や乳化剤などの材料を回避するために、低い運転コストを必要とします。線状の高分子量ポリアクリルアミドベースのポリマーは、逆エマルジョン（W / O、0.05-1μm）重合によって商業的に合成されますが、軽度に架橋されたポリアクリル酸ベースのポリマーの製造は、一般に逆懸濁液によって製造されます（ W / O、0.05-2 mm）重合。 どちらの場合も、水性モノマー混合物（すなわち、水相）は、脂肪族または芳香族炭化水素相（すなわち、油相）に乳化/懸濁され、粒子のサイズは、乳化剤または分散剤の化学的および物理的特性に強く依存します。使用されたエージェント。
【００４３】
そのようなポリマーまたはコポリマーの非限定的な例には、直鎖アクリル酸ベースのポリマー、架橋アクリル酸ベースのポリマー、高分子量架橋アクリル酸ベースのポリマー、アリルスクロースで架橋されたアクリル酸のポリマー、アリルペンタエリスリトールで架橋されたアクリル酸、アクリル酸のポリマー、長鎖（(C10-C30) アクリレートで修飾されたアクリル酸のポリマー、アリルペンタエリスリトールで修飾されたアクリル酸のポリマー（(C10-C30)アクリル酸のコポリマー、アクリル酸のコポリマーで修飾された長鎖（(C10-C30)アクリル酸アルキル、およびアクリル酸のコポリマー、アリルペンタエリスリトールで架橋された長鎖（(C10-C30)アルキルアクリレート、ジビニルグリコールで架橋されたアクリル酸のポリマー、アリルエーテルで架橋されたアクリル酸のホモポリマーペナエトリトール、スクロースのアリルエーテルまたはプロピレンのアリルエーテル、ポリビニルカルボキシポリマー、カルボマー、C10-C30 アルキルアクリレートのコポリマーsおよびスクロースのアリルエーテルまたはペンタエリスリトールのアリルエーテルで架橋されたアクリル酸、メタクリル酸またはそれらの単純なエステルの1つ以上のモノマー、アクリルポリマー主鎖およびジメチルポリシロキサン側鎖を有するグラフトコポリマー、親水性/疎水性ブロックコポリマーなどアンモニウムアシレートおよびアクリロニトゲンコポリマー、アクリルおよびアクリロ窒素コポリマー、アクリル酸ポリクオタニウムコポリマー、ポリグリコール、疎水的に修飾された酸化エチレンウレタン、ロームアンドハースからAcusolの商品名で販売されているポリマーおよびコポリマー。
【００４４】
パーソナルケア製品
一部のパーソナルケア製品、特に使い捨て吸収性失禁用製品は、1回の使用で取り外して廃棄するように設計されています。使い捨て吸収性失禁用製品は、通常の布の下着のように、再使用のために洗濯または洗浄されるのではなく、一度使用された後に使い捨てられることを意味します。いくつかの市販の使い捨て吸収性失禁製品の例には、おむつ、トレーニングパンツ、パッド、パンティライナー、フィットブリーフ、ベルト付きシールド、男性用ガード、保護下着、および調整可能な下着が含まれます。
【００４５】
本開示の１つの特定の態様において、パーソナルケア製品は、液体透過性層（例えば、身体側ライナー、サージ層など）、水蒸気透過性または通気性を有し得る液体不透過性層などの構成要素を含む。（例えば、外側カバー、通気層、バッフルなど）、吸収性コア、弾性部材など。そのような吸収性物品のいくつかの例は、米国特許第4,693,847号に記載されている。ブエルへの第5,197,959号。米国特許ブエルへの第5,085,654号。米国特許Lavonらの米国特許第5,634,916号。米国特許ブエルらへの米国特許第5,569,234号。米国特許テイラー等の米国特許第5,716,349号。米国特許Osborn、IIIへの4,950,264号;米国特許Osborn、IIIへの第5,009,653号。米国特許Osborn、IIIへの米国特許第5,509,914号。米国特許 番号。5,649,916 DiPalmaらへ;米国特許ヴァンティルブルフの米国特許第5,267,992号。米国特許ヴァンティルバーグへの第4,687,478号。米国特許マクネアの米国特許第4,285,343号。米国特許米国特許第4,608,047号。米国特許北岡への第5,342,342号。米国特許ヘロン等の米国特許第5,190,563号。米国特許Widlundらの米国特許第5,702,378号。米国特許Snellerらの米国特許第5,308,346号。米国特許No.6,110,158〜キールピコフスキー;米国特許Blaneyらの米国特許第6,663,611号。およびパターソンらへのWO 99/00093。これらのそれぞれは、参照により組み込まれている。
【００４６】
使い捨ての吸収性失禁用下着の多くは、それらが吸収性および弾性材料を含む様々な異なる材料から形成されることを除いて、外観、サイズ、および形状が通常の布の下着に類似している。吸収性材料は、使い捨て吸収性失禁下着が身体の老廃物を吸収して保持することを可能にし、一方、弾性材料は、使い捨て吸収性失禁下着が着用者の胴体の構造にぴったりと適合することを可能にする。
【００４７】
今日販売されている使い捨て吸収性失禁下着の多くは、使い捨て吸収性失禁下着がウエスト開口部と一対の脚開口部で構成され、通常の下着のように身体に引っ張る必要があるという点で、通常の布の下着に似た一体構成を持っています。例えば、図２に示されるような吸収性下着50。図４は、外側カバーまたはバッフル52、身体側ライナー54、および吸収性コア（図示せず）を有する。吸収性パンツに関する更なる議論は、例えば、米国特許第4,693,847号に見出すことができる。ヴァン・ゴンペルへの第6,240,569号。米国特許ヴァン・ゴンペルへの第6,367,089号。参照により本明細書に組み込まれる、Van Gompelらの米国特許公開第2004/0210205 A1号。
【００４８】
他の使い捨て吸収性失禁下着は、開いた構成をしています。開いた構成とは、使い捨て吸収性失禁用下着が着用者の胴の周りに配置される前に、腰部開口部と一対の脚部開口部がないことを意味する。典型的には、開いた構成を有する使い捨て吸収性失禁用下着は、着用者の胴の周りに固定される前は、比較的平坦または凸状の形状をしている。 一般に、開いた構成を有する使い捨て吸収性失禁下着は、ほぼ長方形または砂時計の形状をしている。このような製品は、米国特許第4,693,047号に記載されている。参照により本明細書に組み込まれる、Damicoの米国特許第4,500,316号。
【００４９】
ベルト付きシールドは、開いた構成を有し、ベルトまたは一対のストラップによって着用者の胴体の周りに保持される、使い捨ての吸収性失禁用製品のさらに別のタイプであり、米国特許第6,237,812号に記載されている。 Kuen らの米国特許第5,386,595号。と米国特許参照により本明細書に組み込まれる、Damicoらの米国特許第4,886,512号。
【００５０】
別のタイプの失禁用製品は男性用のガードであり、これは米国特許第4,693,047号に記載されているように、男性生殖器に適合することができる吸収パッドに似ている。シェロッドらへの米国特許第5,558,659号。これは、参照により本明細書に組み込まれる。
【００５１】
理想的ではないが、一部の女性は、図１に示されるパッド10のような、女性の衛生パッドを着用して尿を吸収する。1。パッド10は、パッド周囲12まで延びる身体側ライナー14を含む。ライナー14の下には、ティッシュ層17および吸収性コア16がある。ティッシュは、不織材料などの異なる臭い中和ポリマーで置き換えることができる。図１および２に示されるような女性用衛生パッドと同様に、女性用失禁パッド30。
【００５２】
図２および３は、バッフルまたは外側カバー32、身体側ライナー34、およびそれらの間の様々な層を有し、それらは吸収性コア36を含む。吸収性コア36は、身体側ライナー34に隣接する身体に面する表面、外側カバー３２に隣接する衣類に面する表面、および一対の長手方向側を有する。図。失禁用製品の非限定的な一例の断面図である。身体側ライナー34は、図１の上部にある。3。身体側ライナー34は、体液、特に尿が迅速に通過し、吸収性コア36によって受け取られるように設計されている。身体側ライナー34は、人体の性器領域に接触して配置される。サージ層35は、ライナー34の下に配置されてもよい。サージ層35は、液体の大きなサージを受け入れ、それらを後続の層にゆっくりと放出するリザーバとして機能する。サージ層35の下には、ティッシュラップ37の形態の臭気中和ポリマーによって囲まれた吸収性コア36がある。吸収性コア36は、通常、綿毛および超吸収性粒子を含む。超吸収性粒子は緩んでいて非常に小さいため、封じ込められていない限り、身体や衣服に脱出する可能性があります。臭気中和ポリマーまたはティッシュラップ37は、超吸収性粒子が吸収性コアから使用者の皮膚に移動するのを防ぐのに役立つ。臭気中和ポリマーで包まれた吸収性コア36の下には、バッフルまたは外側カバー32がある。
【００５３】
本発明の一態様では、臭い中和ポリマーは、少なくとも身体に面する表面および長手方向側面の周りにそれを巻き付けることにより、吸収性コア36上に配置される。ティッシュラップ37などの固体支持体は、衣類に面する表面も覆われるように、吸収性コア36の周りに完全に巻き付けられてもよい。本開示の別の態様では、臭気中和ポリマーは、吸収性コア36の身体に面する表面の表面積を１００パーセントも覆う。いくつかのそのような実施形態では、臭気中和ポリマーは、吸収性コア36の身体に面する表面または衣類に面する表面上に配置される。本開示のさらに別の態様では、臭気中和ポリマーの２つの層が使用され、一方は吸収性コア36の身体に面する表面を覆い、他方は吸収性コア36の衣類に面する表面を覆う。
【００５４】
多くの製品はまた、使用者の下着にそれを接着することによって使用中に製品を適所に保持するのを助ける接着ストリップ39を有する。さらに、一実施形態では、図２に見られるエアレイド層38などの任意の第２の吸収層がある。3。エアレイド層38は、示されるように、ティッシュラップされた吸収性コア36の下、またはティッシュラップされた吸収性コア36の上に配置され得る。
【００５５】
パッドの厚さは通常、約2.5センチメートル（cm）以下です。望ましくは、パッドの厚さは約１ｃｍ未満である。より望ましくは、パッドの厚さは約0.7cm未満である。パッドは、約１５ｃｍ〜約５０ｃｍの長さ、および約２ｃｍ〜約１５ｃｍの幅を有することができる。パッドは、長方形、砂時計、または非対称の構成にすることができます。
【００５６】
図示されていないパンティライナーは、約１ｃｍ以下の厚さを有する比較的薄い吸収性パッドである。 望ましくは、パンティライナーの厚さは約0.5cm未満である。 パンティライナーは、約15cm〜約50cmの長さおよび約2cm〜約15cmの幅を有することができる。パンティライナーは、長方形、砂時計、または非対称の構成を有することができ、図１に示されるパッドと同じ構成要素を含むことができる。３、または少なくとも身体側ライナー34、ティッシュラップ３７などの固体支持体37、吸収性コア36、および外側カバー32。
【００５７】
本開示では、臭気中和ポリマーは、その製造中に吸収性コアに混合される。 これは、炭素粒子が臭気中和ポリマーに結合され、物品ライナー34に移動しないことを確実にする。本開示の一実施形態では、固体支持体はティッシュラップの形態である37は、活性炭粒子または繊維がパルプスラリーに十分な濃度で添加されてティッシュが得られることを除いて、従来のセルロースティッシュ製造プロセスを使用して作製される。活性炭の有効量。 従来のティッシュ製品は広く知られているに従って作られています 製紙タイプのプロセス。たとえば、米国特許ファリントン・ジュニアへの米国特許第5,129,988号。米国特許ファリントン・ジュニアらの米国特許第5,772,845号。と米国特許エドワーズ等の米国特許第5,494,554号。それぞれは、参照により組み込まれる様々な組織作製方法を開示している。
【００５８】
いくつかの実施形態では、固体支持体は、超吸収性繊維、超吸収性ラミネート、またはエアレイド紙である。いくつかの実施形態では、超吸収性繊維は、少なくとも1.4 g/mLの繊維密度を有する。いくつかの実施形態では、超吸収性繊維は、約1/4 g/mLの繊維密度を有する。いくつかの実施形態では、超吸収性繊維は、少なくとも１つの合成繊維、少なくとも１つの天然繊維、またはそれらの混合物を含む。 いくつかの実施形態では、少なくとも１つの合成繊維はポリエステルを含む。
【００５９】
失禁用製品に関するより多くの情報は、例えば、米国特許第4,693,847号に見出すことができる。参照により本明細書に組み込まれる、Tears et al。の米国特許第6,921,393号。
【００６０】
本発明はさらに、パーソナルケア製品中の尿臭をヒトの検出未満のレベルに低減するための方法を提供し、尿サンプルを、１つ以上の臭気中和ポリマーと混合された吸収性コアおよび固体支持体を含むパーソナルケア製品に曝露することを含む。;ここで、吸収性コアおよび固体支持体は隣接して配置される。吸収性コアは、乾燥した固体の水膨潤性ポリマー吸着剤を含む。そして、臭気中和ポリマーは、少なくとも１つのアクリル酸モノマーまたはその塩を含むアクリレートポリマーを含む。好ましい実施形態では、尿サンプルはヒト尿サンプルである。
【００６１】
コロイド組成物
ニオイディストーターやエリミネーターを含む家庭用尿管理用の現在の製品は、製造、処理、および/または取り扱いに特別なプロセスを必要とし、臭いの根本原因に対処していない高価な化学物質および/または生物学的材料（酵素、プロバイオティクスなど）を使用しています。したがって、本発明は、発生源における臭いの根本原因に対処することによって、単純でより安価な解決策を提供するタイプの製品を提供する。主要な臭気中和ポリマー（AAP、Carbopol（登録商標）など）の使用に加えて、これらの製品は、油、香料、保存料、界面活性剤などの他の成分（必要な場合）が設計されています、商品に同梱可能です。
【００６２】
したがって、本明細書で提供されるのは、アクリレートポリマーおよび水溶液を含む臭気中和ポリマーを含むコロイド組成物であり、臭気中和ポリマーは水溶液中に分散される。そして、アクリレートポリマーは、少なくとも１つのアクリル酸モノマーを含む。 いくつかの実施形態では、本発明のコロイド組成物は、１つまたは複数の臭気中和剤および／または臭気中和剤をさらに含む。例えば、いくつかのそのような実施形態では、本発明のコロイド組成物は、油、香料、保存料、または界面活性剤を含む。例示的な臭気中和剤には、酵素、過酸化物、重炭酸塩、界面活性剤または界面活性剤、他のポリマー、脂質、油、抗菌剤、抗菌剤、プロバイオティクスなどが含まれる。 例示的な臭気防止剤には、保存料、香料、キレート剤、プロバイオティクス、酵素、酸素ブースター。いくつかの実施形態では、臭気中和剤は金属酸化物である。いくつかの実施形態では、金属酸化物は、酸化カルシウム、酸化亜鉛、酸化マグネシウム、または二酸化チタンである。
【００６３】
いくつかの実施形態では、本発明のコロイド組成物は、着色剤または味覚変化物質を含む。
【００６４】
本明細書に開示されているコロイド組成物は、当技術分野で知られている方法によって配合することができる。例えば、いくつかの実施形態では、組成物は、マイクロエマルジョン、エマルジョン、懸濁液、スプレー、溶液、フォーム、ゲル、またはエマルジョンゲルとして処方される。
【００６５】
本発明はさらに、尿サンプルを、アクリル酸ポリマーを含む臭気中和ポリマーを含む組成物（例えば、コロイド組成物）に曝露することを含む、尿臭をヒトの検出未満のレベルに低減する方法を提供し、アクリル酸ポリマーは、 1つのアクリル酸モノマー。いくつかの実施形態では、尿サンプルは哺乳動物の尿サンプルである。いくつかのそのような実施形態では、哺乳動物は非ヒト（例えば、猫または犬）である。このようないくつかの実施形態では、哺乳動物は、ネコ科、ウマ科、イヌ科、ウシ科、霊長類、げっ歯類、またはウシ科である。
【００６６】
水のない排尿システム
水なしの排尿システムは1990年代に導入されました。この種のシステムは世界中で需要が高く、特に適切な浄化槽または下水システムが存在しない場合は特にそうです。これらの地域では、汚染された河川、湖、および/または池の水が飲料水中の病原菌を運び、住民に非常に不健康な状態をもたらす可能性があります。現在の水なしの排尿システムは、尿に含まれるアンモニアとアミンに対処するために、油、ポリマーボール、またはゲル材料を使用しています。これらのシステムはさらに、既存の下水道または浄化槽に尿を送るように設計された二次機能を備えています。あるいは、これらのシステムは、例えばタンクが処理施設に輸送されて廃棄されるか、または肥料などの特定の製品で使用されるまで、長期保管のためにタンクに尿を収集するように設計された機能を組み込んでいます。現在の水なしの排尿システムは固定式で高価であり、ほとんどの場合、延長配管接続が必要です。
【００６７】
本発明の水を含まない排尿システムは、臭気中和ポリマー（例えば、AAP、例えば、Carbopol（登録商標））による尿の基本成分（例えば、アミン、アミドなど）の現場中和を利用する。
【００６８】
既存の水なしの技術は、オプションで、既存の水なしのシステム（例えば、ポリマーボールまたは油）に組み込むことができる。しかしながら、尿を大きな貯蔵タンクに、または下水管または浄化槽または他のいかなる処分ラインにも導くことに関連する既存の水なし技術の特徴は、本技術には必要とされない。
【００６９】
いくつかの実施形態では、本明細書に開示されているのは、使い捨て容器を含む水なしの排尿システムである。便器;そして、1つ以上の臭気中和ポリマー（例えば、少なくとも1つのアクリル酸モノマーまたはその塩を含むポリマー）を含む、ポリマー化合物を含む乾燥した固体の水膨潤性ポリマー吸着剤を含む使い捨て容器に便器を接続するチューブ）、およびオプションで1つ以上の添加剤。このようないくつかの実施形態では、管は少なくとも部分的に中空であり、好ましくは完全に中空である。
【００７０】
本発明はまた、尿臭が便器の中心にある蓋またはボールの開閉によって制御される新しいタイプの便器を企図する。ふたは排尿中は開いており、使用しないときは閉じています。この開閉機構は、一端がボールまたは蓋に接続され、他端がユーザが操作する装置またはパドルに接続されたコネクタを用いて手動操作で実行することができる。あるいは、開閉機構は、センサー（例えば、紫外線）により操作される。
【００７１】
したがって、いくつかの実施形態では、水なしの排尿システムは、便器の中心に配置され、便器を使い捨て容器に接続する管の開口部を覆う可動物体をさらに含む。 そのような可動物体は、開いたときに、便器と使い捨て容器との間の液体の自由な通過を可能にし、閉じられたとき、使い捨て容器から便器を密封する。
【００７２】
他の実施形態では、本明細書に開示されているのは、使い捨て容器を備える水なしの排尿システムである。ボディサイドインターフェース;体側界面を使い捨て容器に接続するチューブは、1つ以上の臭気中和ポリマー（例えば、少なくとも1つのアクリル酸モノマーまたはその塩を含むポリマー）を含む、ポリマー化合物を含む乾燥した固体の水膨潤性ポリマー吸着剤を含む）、およびオプションで1つ以上の添加剤。このようないくつかの実施形態では、管は少なくとも部分的に中空であり、好ましくは完全に中空である。
【００７３】
一般に、身体側インターフェースは、尿および他の老廃物の使い捨て容器への移送を容易にするインターフェースである。例示的な身体側インターフェースは、ポリマーシース（例えば、改変されたコンドーム）、カップ、漏斗、およびカテーテルである。好ましい実施形態では、ポリマーシースは、生体適合性ポリマー（例えば、ラテックス、ニトリル、ポリイソプレン、またはポリウレタン）を含む。
【００７４】
いくつかの実施形態では、使い捨て容器は、接続ユニットをさらに含む。いくつかの実施形態では、接続ユニットは第２の管に接続され、管の反対側の端部は廃棄物貯蔵ユニットに接続され、管は少なくとも部分的に中空である。いくつかの実施形態では、本明細書に記載される使い捨て容器の一端は、対象の身体に配置され、他端は、床または他の場所（例えば、宇宙船、飛行機または家の床）に配置され得る。これらのデバイスの収集コンポーネントは、ボタンを押すだけで取り外し/交換できるように、パイプ/チューブに設計および取り付けできます（簡単な挿入/ロックメカニズム）。
【００７５】
尿やその他の廃棄物は便器の隣または下、あるいはトイレのすぐ外の使い捨て容器に便利に保管でき、保管システムとして機能します。この保管システム（便器なし）は、必要に応じて新しいシステム（新しい臭い中和ポリマーを含む）に交換できます。特定の実施形態では、貯蔵システムは、長期貯蔵にわたって蓄積する可能性がある任意のガス状物質を放出するための換気アタッチメントを有する。尿処理された材料は、後で肥料に使用したり、尿から重要な化学物質を抽出したり、水回収などの他の用途に使用したりできます。
【００７６】
本明細書に開示される水なしの排尿システムは、適切な腐敗システムまたは下水システムが存在しない地域で主に懸念される下水/腐敗/処理システム/センターに水を流して安全に尿を流す必要性を排除します。したがって、本発明は、費用対効果の高い、携帯型または固定式の水なしの排尿システムを提供する。
【００７７】
本発明はさらに、尿サンプルを使い捨て容器を含む水を含まない排尿システムに曝露することを含む、尿の臭いを人間の検出以下のレベルに低減する方法を提供する。便器;便器を使い捨て容器に接続するチューブ。そして便器の中心に配置され、便器を使い捨て容器に接続する管の開口部を覆う可動物体。ここで、使い捨て容器は、１つまたは複数のアクリル酸モノマーまたはその塩、および任意選択で１つまたは複数の添加剤を含む１つまたは複数の臭気中和ポリマーを含む。そして可動物体は、開いたとき、便器と使い捨て容器との間の液体の自由な通過を可能にし、閉じたとき、使い捨て容器から便器を密封する。
【００７８】
好ましい実施形態では、尿サンプルはヒト尿サンプルである。
【００７９】
いくつかの実施形態では、本明細書で開示される水なしの排尿システムは、地上の機内飛行乗務員、宇宙ミッションの乗組員、寝たきりの個人、車椅子に縛られた個人、長距離運転手（例えば、貨物運転手）、およびトイレへのアクセスや動きの制限。
【００８０】
本明細書で提供されるのは、水なしの排尿システムから水を回収する方法である。 一態様では、方法は以下を含む。本明細書に開示される使い捨て容器の内容物を塩と接触させ、それにより混合物を形成すること。そしてしばらくすると、混合物から水を分離します。
【００８１】
いくつかの実施形態では、塩は無毒である。いくつかの実施形態では、塩は、塩化ナトリウム、塩化マグネシウム、塩化カルシウム、臭化ナトリウム、臭化マグネシウム、臭化カルシウム、ヨウ化ナトリウム、ヨウ化マグネシウム、ヨウ化カルシウム、硫酸ナトリウム、硫酸カルシウム、および硫酸マグネシウムから選択される。
【００８２】
いくつかの実施形態では、水回収方法は、使い捨て容器の内容物を酸と接触させ、それにより、使い捨て容器の内容物のpHを少なくともpH 8.1未満に調整するステップをさらに含む。一部の実施形態では、pHは、約pH 8、約pH 7.5、約pH 7、約pH 6.5、約pH 6、約pH 5.5、または約pH 5 に調整される。 いくつかの実施形態では、酸は無機酸である。いくつかの実施形態では、酸は、塩酸、ホウ酸、リン酸、または硫酸である。
【００８３】
いくつかの実施形態では、混合物から水を分離することは、蒸留または濾過を含む。
【００８４】
尿素ベースの肥料
尿素の世界的な工業生産の90％以上は、窒素放出肥料としての使用が予定されています。尿素は、一般的に使用されているすべての固形窒素肥料の中で最も高い窒素含有量を持っています。したがって、窒素栄養素の単位あたりの輸送コストが最も低くなります。
【００８５】
多くの土壌細菌は、尿素からアンモニア（NH3）またはアンモニウムイオン（NH4 +）および重炭酸イオン（HCO3-） への変換を触媒する酵素ウレアーゼを持っています。 したがって、尿素肥料は土壌中で急速にアンモニウム型に変化します。ウレアーゼを運ぶことが知られている土壌細菌の中で、ニトロソモナス種などの一部のアンモニア酸化細菌（AOB）は、反応により放出される二酸化炭素を吸収して、カルビンサイクルを介してバイオマスを作り、アンモニア（他のウレアーゼの産物）を亜硝酸塩に、硝化と呼ばれるプロセス。亜硝酸酸化細菌、特にニトロバクターは、亜硝酸塩を硝酸塩に酸化します。これは、負の電荷のために土壌中で非常に移動性が高く、農業による水質汚染の主な原因です。アンモニウムと硝酸塩は植物によって容易に吸収され、植物の成長のための主要な窒素源です。尿素は、多くの多成分固形肥料の配合にも使用されます。尿素は水への溶解性が高いため、肥料溶液（硝酸アンモニウム：UANと組み合わせて）での使用、たとえば「葉状飼料」肥料での使用にも非常に適しています。合成尿素の最も一般的な不純物は、植物の成長を損なうビウレットです。
【００８６】
本明細書で提供されるのは、尿を含む尿素ベースの肥料組成物である。アクリレートポリマー、および任意選択で1つまたは複数の添加剤を含むポリマー吸着剤。ここで、アクリレートポリマーは、少なくとも１つのアクリル酸モノマーを含む。例示的な添加剤には、抗菌剤、抗菌剤、および生体酵素材料が含まれる。
【００８７】
いくつかの実施形態では、本明細書に開示される肥料組成物は、顆粒またはプリルとして提供される。 好ましくは、本明細書に開示される肥料組成物は、顆粒として提供される。
【００８８】
尿素は大気から湿気を吸収するため、通常はパレット上の閉じたバッグまたは密封されたバッグに保管されます。バルクで保管する場合は、防水シートで覆って保管します。ほとんどの固形肥料と同様に、涼しく乾燥した換気の良い場所での保管をお勧めします。
【００８９】
特定の局面において、本発明は、以下の工程を含む植物成長を調節する方法を提供する：土壌に埋め込まれた植物を取得する;そして土壌を、本開示の使い捨て容器または肥料の内容物と接触させる。
【００９０】
特定の実施形態では、方法は、土壌を本開示の使い捨て容器または肥料の内容物と接触させた後、土壌を液体（例えば、水）と接触させるステップをさらに含む。
【００９１】
ここで本発明を一般的に説明するが、本発明の特定の態様および実施形態を単に例示する目的で含まれ、本発明を限定することを意図しない以下の実施例を参照することにより、より容易に理解される。
【００９２】
例示
【００９３】
2020536709.tif 000007
【００９４】
2020536709.tif 000008
【００９５】
例3
Carbopol（登録商標）実験を伴うおよび伴わない尿を繰り返して、実施例１および２の上記の観察を確認し、Carbopol（登録商標）のその場での中和、したがって尿臭の排除を支持する。
超吸収性ポリマー顆粒をおむつベースから取り出し、収集し、実施例4および5に使用した。
【００９６】
2020536709.tif 000009
【００９７】
結論：
実施例１〜５は、Carbopol（登録商標）などの臭気中和ポリマーを使用して、おむつ製品に関連する尿の悪臭に対処するための効果的なアプローチを示している。 実施例１〜５は、単純で、費用効果が高く、安全で、構造的変更またはおむつの一体性なしに既存のおむつデザインに容易に組み込むことができる尿の悪臭を排除するためのプロセスを示す。
【００９８】
参照による編入
本明細書で言及されているすべての米国およびPCT特許出願公開と米国特許は、あたかも各個別の出版物または特許が参照により組み込まれることが具体的かつ個別に示されているかのように、参照によりその全体が組み込まれます。 矛盾する場合、ここでの定義を含む本出願が支配する。
【００９９】
同等
本発明の特定の実施形態を説明してきたが、上記の明細書は例示的なものであり、限定的なものではない。本明細書および以下の特許請求の範囲を検討すると、本発明の多くの変形が当業者に明らかになるであろう。本発明の全範囲は、特許請求の範囲、ならびにそれらの等価物の全範囲、および明細書、ならびにそのような変形を参照することにより決定されるべきである。
【図１】
2020536709.tif 000017
【図２】
2020536709.tif 000018
【図３】
2020536709.tif 000019
【図４】
2020536709.tif 000020
【図５】
2020536709.tif 000021
【図６】
2020536709.tif 000022
【図７】
2020536709.tif 000023
【図８Ａ】
2020536709.tif 000024
【図８Ｂ】
2020536709.tif 000025
【図９】
2020536709.tif 000026
【国際調査報告】
2020536709.tif 000027
2020536709.tif 000028
2020536709.tif 000029